(57)【要約】【課題】  植木鉢としての実用的な利益ばかりでなく、光照明による視覚的な面白さを有し、観賞効果の優れた容器体を提供することを目的とする。【解決手段】  外容器２と、この外容器２の内側に嵌合されると共に適当な容量の収容凹部７を有し、且つ、光を透過する材料によって形成された有底の内容器３と、外容器２及び内容器３に向けて光を放出する発光器と、を備えている。外容器２の内側に、発光器４を収容するための光源スペース８を設けた。【選択図】図１
2015019619.tif 000002
【特許請求の範囲】
【請求項１】
外容器と、
前記外容器の内側に嵌合されると共に適当な容量の収容凹部を有し、且つ、光を透過する材料によって形成された有底の内容器と、
前記外容器及び前記内容器に向けて光を放出する発光器と、を備え、
前記外容器の内側に、前記発光器を収容するための光源スペースを設けた
ことを特徴とする容器体。
【請求項２】
前記外容器と前記内容器との間に、表示物を収容するための表示物スペースを設けた
ことを特徴とする請求項１記載の容器体。
【請求項３】
前記外容器に、前記表示物を所定位置に位置決めするための位置決めリブを設けた
ことを特徴とする請求項１又は２記載の容器体。
【請求項４】
前記外容器の少なくとも一部に、前記発光器から放射された光を前記内容器に向けて反射させる鏡面部を設けた
ことを特徴とする請求項１乃至３のいずれか１記載の容器体。
【発明の詳細な説明】
【技術分野】
【０００１】
本発明は、側面に写真やメッセージカード等を収容するためのスペースを有し、且つ、内部に発光器を備えて構成され、光る植木鉢として使用したり、照明機構付き鑑賞用容器等として使用することができる複数の機能を備えた容器体に関する。
【背景技術】
【０００２】
従来、植木鉢の側面を写真立てやメッセージカード入れ等として利用することができる植木鉢が提供されている。
【０００３】
この種の従来の容器鉢としては、例えば、本願の発明者が先に実用新案登録出願したもので、特許文献１に記載されているようなものがある。
【先行技術文献】
【特許文献】
【０００４】
【特許文献１】実用新案登録第３１５７９９２号公報
【発明の概要】
【発明が解決しようとする課題】
【０００５】
特許文献１には、植木鉢を写真立てとして利用することができ、毎日のメンテナンスが極めて容易に行え、植木鉢の上からでも下からでも水遣りを行うことが可能で、植木鉢の形状も任意に選択することができる植木鉢に関するものが記載されている。
【０００６】
しかしながら、特許文献１に記載された植木鉢においては、写真立ての機能を有しているが、そのものはあくまでも植木鉢であった。そのため、植木鉢の概念から抜け出すことができず、観賞用の容器体としての機能が考慮されていないことから、容器体としての機能が不十分で面白みに欠けるという課題があった。
【０００７】
本発明は、このような従来の問題点に鑑みてなされたものであり、植木鉢としての実用的な利益ばかりでなく、光照明による視覚的な面白さを有し、観賞効果の優れた容器体を提供することを目的としている。
【課題を解決するための手段】
【０００８】
本発明の容器体は、外容器と、その外容器の内側に嵌合されると共に適当な容量の収容凹部を有し、且つ、光を透過する材料によって形成された有底の内容器と、外容器及び内容器に向けて光を放出する発光器と、を備え、外容器の内側に、発光器を収容するための光源スペースを設けたことを特徴としている。
【０００９】
外容器と内容器との間に、表示物を収容するための表示物スペースを設けるとよく、更に、外容器に、表示物を所定位置に位置決めするための位置決めリブを設けると、より好ましい。
【００１０】
また、外容器の少なくとも一部に、発光器から放射された光を内容器に向けて反射させる鏡面部を設けると、より視覚的な面白みを発揮させて観賞効果を高めることができる。
【発明の効果】
【００１１】
本発明の容器体によれば、植木鉢として実用的な使用ができるばかりでなく、光照明を用いて視覚的な多様性を有し、趣味性に優れ、観賞効果を高めることができる容器体を提供することができる。
【図面の簡単な説明】
【００１２】
【図１】本発明の容器体の第１の実施例を示すもので、中央部を縦方向に断面した説明図である。
【図２】本発明の容器体の第１の実施例を示す斜視図である。
【図３】本発明の容器体の第１の実施例を示す分解斜視図である。
【図４】図１のＡ部を拡大して示す説明図である。
【図５】図１のＢ部を拡大して示す説明図である。
【発明を実施するための形態】
【００１３】
以下に、図１乃至図５を参照して、本発明の容器体の例を説明する。
まず、容器体の第１の実施例について、図１乃至図５を参照して説明する。
【００１４】
図１〜図３示すように、本発明の第１の実施例に係る容器体１は、外容器２と、内容器３と、発光器４を備えて構成されている。内容器３の内部に、例えば、木、花、野菜等の植物６を収容するための収容凹部７が設けられている。そして、外容器２の下方に発光器４を収容するための光源スペース８が設けられ、その外容器２と内容器３との間に、表示物９を収容するためのリング状をなす表示物スペース１０が設定されている。
【００１５】
外容器２は、円筒状の筒体からなる胴体部２ａと、この胴体部２ａの軸方向の一端を閉じる円盤状の底面部２ｂと、この底面部２ｂより下に形成されたリング状をなす脚体部２ｃとによって構成されている。胴体部２ａの上端部には周方向に連続する肉厚部１２を設けており、この肉厚部１２によって胴体部２ａの開口側の強度を高めている。底面部２ｂは、中央部に設けられた円錐状に突出する円錐状膨出部１４と、この円錐状膨出部１４の外周縁に連続して形成されたリング状をなす外縁部１５とからなっている。この円錐状膨出部１４の下方に、発光器４が収容される光源スペース８が設定されている。円錐状膨出部１４の上部１４ａは球面状に湾曲するように形成されており、これにより円錐状膨出部１４の高さを制限して内容器３の深さを深く設定している。
【００１６】
また、底面部２ｂの外縁部１５の上面には、図５に示すように、表示物スペース１０に収容される表示物９の下端部の位置を規制して表示物９の下端部を所定位置に位置決めして下端部の移動や座屈等を防止する複数の位置決めリブ１６が設けられている。複数の位置決めリブ１６は、周方向に適当な間隔をあけて等間隔に配置されている。しかしながら、複数の位置決めリブ１６は、任意の間隔に設定できることは勿論である。
【００１７】
位置決めリブ１６の数は、表示物９の大きさによっても異なるが、３個から２４個の範囲が好ましく、最も好ましい範囲は４個から８個である。位置決めリブ１６の数が３以上であれば、表示物９の下面を略水平状態に保持することができる。特に、位置決めリブ１６の数が４以上であれば、表示物９の下面の略水平状態をより確実に保持することができる。また、位置決めリブ１６の数が２４以下であれば、材料が無駄になるのを防止することができる。特に、位置決めリブ１６の数が８以下であれば、材料が無駄になるのをより効果的に防止することができる。
【００１８】
このような構成を有する外容器２の材質としては、例えば、ポリプロピレン、ポリエチレン、ポリエステル、その他の熱可塑性樹脂が好適である。これらの材質によって形成される外容器２は、無色透明が好ましいが、有色透明であってもよく、また、各色を用いて半透明若しくは不透明としてもよい。外容器２の材質が無色透明であれば、発光器４から放射されて外容器２を透過する光の色を、そのまま発光器４からの光として認識することができる。また、外容器２の材質の色が有色透明であれば、その色に応じた色を認識することができる。
【００１９】
更に、外容器２の材質の色が半透明であれば、発光器４から放射される光をぼやけさせて柔らかな光として認識することが可能となる。また、外容器２が不透明な材質のもので形成されている場合には、外容器２の胴体部２ａから光が漏れ出さないようにして、内容器３の上方からのみ光を外部に放出することができる。
【００２０】
内容器３は、円筒状の筒体からなる胴体部３ａと、この胴体部３ａの軸方向の一端を閉じる円盤状の底面部３ｂとによって構成されている。胴体部３ａの上端部には周方向に連続するフランジ部１８を設けている。このフランジ部１８は、外容器２の肉厚部１２の上面を覆い、表示物スペース１０の上端を覆う蓋体の役割を果たしている。更に、胴体部３ａの外周縁の上部には、図４に示すように、表示物スペース１０に収容される表示物９の上端部の位置を規制して表示物９の上下ズレ等を防止する複数のズレ防止リブ１９が設けられている。複数のズレ防止リブ１９は、周方向に適当な間隔をあけて等間隔に配置されている。しかしながら、複数のズレ防止リブ１９は、任意の間隔に設定できることは勿論である。
【００２１】
ズレ防止リブ１９の数は、表示物９の大きさによっても異なるが、３個から２４個の範囲が好ましく、最も好ましい範囲は４個から８個である。ズレ防止リブ１９の数が３以上であれば、表示物９の上端縁のズレを防止して略水平状態に保持することができる。特に、ズレ防止リブ１９の数が４以上であれば、表示物９の上端縁のズレをより確実に防止することができる。また、ズレ防止リブ１９の数が２４以下であれば、材料が無駄になるのを防止することができる。特に、ズレ防止リブ１９の数が８以下であれば、材料が無駄になるのをより効果的に防止することができる。
【００２２】
このような構成を有する内容器３の材質としては、例えば、ポリプロピレン、ポリエチレン、ポリエステル、その他の熱可塑性樹脂が好適である。これらの材質によって形成される内容器３は、無色透明が好ましいが、有色透明であってもよく、また、各色を用いて半透明としてもよい。内容器３の材質が無色透明であれば、発光器４から放射されて内容器３を透過する光の色を、そのまま発光器４からの光として認識することができる。また、内容器３の材質の色が有色透明であれば、その色に応じた色を認識することができる。更に、内容器３の材質の色が半透明であれば、発光器４から放射される光をぼやけさせて柔らかな光として認識することが可能となる。
【００２３】
発光器４は、図３に示すように、円筒状の本体部４ａと、この本体部４ａの一方の端面中央から突出するよう一体に設けた発光部４ｂとによって構成されている。発光部４ｂは、例えば、ＬＥＤランプ等を適用することができる。ＬＥＤランプから発光される光の色としては、赤、青、黄、緑その他各種の色を用いることができるが、多数の色を選択的に発光させたり、任意の色を同時に発光させることができる構成とすることが好ましい。また、本体部４ａは、ケースと、このケース内に収納されたマイクロコンピュータ、各種の電子機器、これらが搭載される基盤等を有する図示しないＬＥＤ駆動部と、同じく図示しないボタン電池等を有する電源部等によって構成されている。
【００２４】
表示物９としては、写真、絵画の複製物、風景画、カレンダその他各種のペーパー状の対象物を適用することができる。この表示物９の裏面は、必要により鏡面加工等を施して鏡面部として形成し、この鏡面部で光を良く反射することができる構成とすることにより、その反射光を用いてより複雑で輝かしい照明効果を得ることができる。
【００２５】
このような構成を有する容器体１は、例えば、次のようにして使用することができる。
図１は、内容器３の収容凹部７内に、アクリルポリマーによって球状に形成され、これに蒸留水を含有させた含水ボール体（例えば、商品名「アクアボール」、松野工業株式会社製）２１を多数個収容し、その含水ボール体２１群の中に植物６をさして植木鉢の形態として使用した例を示すものである。
【００２６】
含水ボール体２１は、無色透明のアクリルポリマーに水性染料を混合させて有色透明の球体に形成されている。このアクリルポリマーの球体に蒸留水を含水させたものを、ここでは「含水ボール体」２１と称することにする。この含水ボール体は、植物の水分補給に使用できるもので、アクリルポリマーに任意の色の水性染料を混合させることにより、赤、青、黄、緑等の各種の色を有する有色透明の含水ボール体２１を形成することができる。この含水ボール体２１に光を照射することにより、各含水ボール体２１で光を乱反射させて美しく輝かせることができ、観察者に視覚による色彩の面白さを与えることができる。
【００２７】
なお、蒸留水に代えて液体肥料をアクリルポリマーに含有させることにより、肥料含有ボール体として使用することができる。この肥料含有ボール体として用いる場合には、野菜、花、木等の肥料として利用することができ、野菜等の育成を図ることができる。また、含水ボール体２１や肥料含有ボール体に香料を添加させることにより、香料を含有する植木鉢や観賞容器体として視覚の他に臭覚の点からも香料として匂いを楽しむことができる。
【００２８】
この場合、内容器３に植え込まれた植物は、含水ボール体２１から水分の供給を受けることができるため、特別に水遣りを行うことなく、植え込まれている植物に対して自動的に水遣りを行うことができる。しかも、植物の近傍に位置する含水ボール体２１には、これに接触する他の含水ボール体２１から毛細管現象によって常に水分が補給されるため、長期間に亘って自動的に水分を補給することができ、その植物の成長に寄与することができる。
【００２９】
また、含水ボール体及び肥料含有ボール体は、生け花を生ける場合にも使用することができ、その生け花の新鮮さを長持ちさせることもできる。なお、含水ボール体２１に代えて、ビー玉を使用することもでき、この場合には、ビー玉に使用されている各種の色を利用して、観察者に視覚による色彩の面白みを与え、光による視覚的効果を発揮させることができる。
【００３０】
また、写真、絵、カード等を表示物９として用いて表示物スペース１０に収容することにより、容器体１の側面を写真立てやメッセージカード入れ等として利用することができる。これにより、例えば、種から花に成長する過程の写真や、野菜の成長過程の写真を表示物９として使用することにより、学校教材として利用したり、自己の趣味感を満足させることができる。更に、家族や知人の写真を入れたり、誕生日やクリスマス等のメッセージカードを入れて、プレゼントとして利用することができるという利点もある。また、表示物スペース１０に収容されている写真等の表示物９は、その表示物スペース１０が内容器３のフランジ部１８によって気密性が保たれているため、その表示物９が湿気によって変色するのを抑制することができる。
【００３１】
図１に示したように、内容器３の収容凹部７内に多数の含水ボール２１を収容し、表示物スペース１０に写真等の表示物９を収容した状態において、発光器４を動作させて発光部４ｂから光を放射すると、その光が底面部２ｂや脚体部２ｃを透過し、その一部が外容器２の胴体部２ａから外部に放射され、残部が内容器３の底面部３ｂを透過し、更に、含水ボール体２１を透過し或いは乱反射により空間部を通過して、内容器３の上方に放射される。このようにして容器体１の外部に放射される光の色、その色の輝きの強弱等によって、見る者に視覚的な刺激を与え、色彩による面白みを感受させることができる。また、発光器４の光を野菜、花、木等に照射することにより、光合成を生じさせて野菜、花等の育成を補助することも可能である。
【００３２】
更に、表示物９の背面を鏡面とすることにより、その鏡面で発光器４からの光を反射させて内容器３側に向かわせ、内容器３の胴体部３ａから収容凹部７内に戻し、含水ボール体２１を透過させ或いは周囲を通過させて、内容器３の上方から光を放射させることができる。また、外容器２の胴体部２ａの内面に、光を反射させる鏡面部を設ける構成としても良い。この鏡面部は、例えば、アルミニウムによる蒸着層として形成することができ、その他、光を反射させる材料や材質等を張り付けることで鏡面部を形成することもできる。
【００３３】
また、表示物スペースの下端部に位置決めリブ１６を設けているため、この位置決めリブ１６によって表示物９の下端部の移動や座屈を防止することができ、表示物９を所定位置に所定の姿勢で保持することができる。更に、表示物スペースの上端部にズレ防止リブ１９を設けているため、このズレ防止リブ１９によって表示物９の上端部のズレを防止することができ、表示物９を所定位置に所定の姿勢で保持することができる。
【００３４】
以上説明したが、本発明は上記実施例に限定されるものではなく、均等の範囲内で種々の変形が可能であり、特許請求の範囲に記載された発明の範囲にて様々な変更が可能であることは、当業者によって容易に理解されよう。
【符号の説明】
【００３５】
１…容器体、  ２…外容器、  ２ａ…胴体部、  ２ｂ…底面部、  ２ｃ…脚体部、３…内容器、  ３ａ…胴体部、  ３ｂ…底面部、  ４…発光器、  ４ａ…本体部、  ４ｂ…発光部、  ６…植物、  ７…収容凹部、  ８…光源スペース、  ９…表示物、  １０…表示物スペース、  １４…円錐状膨出部、  １６…位置決めリブ、  １８…フランジ部、  １９…ズレ防止リブ、  ２１…含水ボール体
【図１】
2015019619.tif 000003
【図２】
2015019619.tif 000004
【図３】
2015019619.tif 000005
【図４】
2015019619.tif 000006
【図５】
2015019619.tif 000007